【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
固体の物体の表面におけるオブジェクトの接触点に関する情報を決定することによって入力を受け取る方法であって、
a）複数の光学振動センサを共通のハウジング内に取り付けて備えている入力装置であって、
各々の前記光学振動センサは、
回折光学要素と、
光の第1の部分が前記回折光学要素を通過し、光の第2の部分が前記回折光学要素から反射されるように、前記回折光学要素を照明するように配置された光源と、
前記光の第1および第2の部分によって生成される干渉パターンを検出するように配置された光検出器と
を備え、
前記光学振動センサは、使用時に、前記光の第1の部分が前記回折光学要素を通過した後に、前記光の第1の部分が反射面から前記光検出器へと反射されるように構成されている、
当該入力装置を、前記固体の物体の前記表面に接触させて配置することと、
b）前記オブジェクトを前記固体の物体の前記表面に物理的に接触させることによって、前記固体の物体に振動を生じさせることと、
c）前記光学振動センサのうちの2つ以上を使用して、前記振動を検出することと、
d）前記振動の相対位相を使用して、前記固体の物体の前記表面における前記オブジェクトの接触点に関する情報を決定することと
を含む方法。
【請求項２】
前記振動の相対振幅を使用して、前記固体の物体の前記表面における前記オブジェクトの接触点に関する情報を決定すること
をさらに含む、請求項1に記載の方法。
【請求項３】
前記方法において、前記振動の相対位相および／または振幅を使用して前記表面における接触点に関する情報を決定することは、到来方向推定アルゴリズムを使用することを含むことと、
前記方法が、前記接触点において生じる振動の波面の曲率半径を決定することによって、前記入力装置から前記接触点までの距離を決定することをさらに含むことと
のうちの少なくとも１つを含む、請求項1または2に記載の方法。
【請求項４】
2つの前記入力装置を使用し、各々の前記入力装置によって前記接触点からの振動の波面のそれぞれの到来方向を決定することと、
前記到来方向の交点を決定することで、前記表面における前記接触点に関する情報を決定することと
を含む、請求項1〜3のいずれか一項に記載の方法。
【請求項５】
直接および間接振動を含む検出された複合信号から、前記表面との接触点に関する情報を決定することを含み、
前記複合信号から直接信号の推定値を差し引くことによって得られる残留信号から、前記表面との接触点に関する情報を決定することを任意選択的にさらに含む、請求項1〜4のいずれか一項に記載の方法。
【請求項６】
1つ以上の推定部分インパルス応答を使用して、前記表面との接触点に関する情報を決定すること
を含み、
前記推定部分インパルス応答は、対応する予想タッチ入力に関して光学振動センサのアレイによって検出されると予想される複合信号の一部分の推定である、請求項1〜5のいずれか一項に記載の方法。
【請求項７】
前記方法において、前記入力装置は、振動の周波数のうちの或る範囲またはサブセットを優先的または排他的に使用して、前記接触点についての情報を決定することと、
前記方法が、前記固体の物体および／または前記固体の物体上の前記入力装置の位置に関する1つ以上のパラメータを決定することをさらに含むことと
のうちの少なくとも１つを含む、請求項1〜6のいずれか一項に記載の方法。
【請求項８】
前記入力装置は、前記固体の物体のうちの前記接触点が位置する領域または面とは異なる領域または面に配置される、請求項1〜7のいずれか一項に記載の方法。
【請求項９】
前記光の第1の部分を反射させる前記反射面は、前記固体の物体の前記表面であることと、
各々の前記光学振動センサは、膜を備え、前記膜は、前記光の第1の部分を反射させる前記反射面を備えることと
のうちの少なくとも１つを含む、請求項1〜8のいずれか一項に記載の方法。
【請求項１０】
各々の前記光学振動センサは、膜と、前記膜と前記固体の物体の表面との間の機械的な結合とを備え、
任意選択的に、前記機械的な結合が、前記膜に取り付けられたマスを備える、請求項1〜9のいずれか一項に記載の方法。
【請求項１１】
前記共通のハウジングは、前記共通のハウジングの周辺部においてのみ前記固体の物体に接触する、または、
前記共通のハウジングの前記光学振動センサに隣接する領域において、前記共通のハウジングと前記固体の物体との間の物理的な接触が存在する、請求項1〜10のいずれか一項に記載の方法。
【請求項１２】
前記入力装置は、0．2m未満の最大寸法を有することと、
隣接するセンサハウジング間の隔たりが、1cm未満であることと、
隣接する前記光学振動センサ間の隔たりが、4cm未満であることと
のうちの少なくとも１つを含む、請求項1〜11のいずれか一項に記載の方法。
【請求項１３】
複数の光学振動センサを共通のハウジング内に取り付けて備えている入力装置であって、
各々の前記光学振動センサは、
回折光学要素と、
光の第1の部分が前記回折光学要素を通過し、光の第2の部分が前記回折光学要素から反射されるように、前記回折光学要素を照明するように配置された光源と、
前記光の第1および第2の部分によって生成される干渉パターンを検出するように配置された光検出器と
を備え、
前記光学振動センサは、使用時に、前記光の第1の部分が前記回折光学要素を通過した後に、前記光の第1の部分が反射面から前記光検出器へと反射されるように構成され、
当該入力装置は、固体の物体の表面上に配置される、あるいは前記固体の物体の表面に取り付けられるように構成され、
当該入力装置は、
前記光学振動センサのうちの2つ以上を使用して、オブジェクトが前記固体の物体の前記表面に物理的に接触することによって引き起こされる振動を検出し、
前記振動の相対位相を使用して、前記固体の物体の前記表面における前記オブジェクトの接触点に関する情報を決定する
ように構成されている、入力装置。
【請求項１４】
固体の物体の表面におけるオブジェクトの接触点に関する情報を決定することによって入力を受け取る方法であって、
a）複数の光学振動センサを共通のハウジング内に取り付けて備えている入力装置であって、
各々の前記光学振動センサは、
回折光学要素と、
光の第1の部分が前記回折光学要素を通過し、光の第2の部分が前記回折光学要素から反射されるように、前記回折光学要素を照明するように配置された光源と、
前記光の第1および第2の部分によって生成される干渉パターンを検出するように配置された光検出器と
を備え、
前記光学振動センサは、使用時に、前記光の第1の部分が前記回折光学要素を通過した後に、前記光の第1の部分が反射面から前記光検出器へと反射されるように構成されている、
当該入力装置を、前記固体の物体の前記表面に接触させて配置することと、
b）前記オブジェクトを前記固体の物体の前記表面に物理的に接触させることによって、前記固体の物体に振動を生じさせることと、
c）前記光学振動センサのうちの2つ以上を使用して、前記振動を検出することと、
d）前記振動の相対振幅を使用して、前記固体の物体の前記表面における前記オブジェクトの接触点に関する情報を決定することと
を含む方法。
【請求項１５】
前記接触点に関する情報は、前記固体の物体の前記表面における前記オブジェクトの前記接触点の位置を含む、請求項1〜12および14のいずれか一項に記載の方法。